(57)【特許請求の範囲】
【請求項１】
遊技機で使用されてから研磨機で研磨された遊技媒体を一時的に貯める貯留装置において、
少なくとも２つの貯留タンク部を備え、一方の貯留タンク部は上記研磨機側に配置されている前貯留タンク部と、他方の貯留タンク部はその反対側に配置されている後貯留タンク部とからなる貯留タンクと、
上記後貯留タンク部から前貯留タンク部へ遊技媒体を移送し、上記前貯留タンク部から上記研磨機へ遊技媒体を導く移送手段と、
上記研磨機で研磨された遊技媒体を上記前貯留タンク部及び後貯留タンク部へそれぞれ分配するための分配路とを具備しており、
上記貯留タンクは、常にいずれか１つの貯留タンク部は空の状態にあり、残りの貯留タンク部が上記遊技媒体で満たされた貯留状態にあり、
上記各分配路は、上記前後各貯留タンク部にそれぞれ対応している分配ホースを有しており、
上記各分配ホースは内部を通過する遊技媒体の流れを止めたり、解除するための開閉手段をそれぞれ有しており、これらの開閉手段が制御部及びセンサに電気的に接続されている
ことを特徴とする遊技媒体の貯留装置。
【請求項２】
前貯留タンク部の内底面は研磨機側に向けて下がり勾配となっており、後貯留タンク部の内底面の勾配は上記勾配とは逆となっていることを特徴とする請求項１記載の遊技媒体の貯留装置。
【請求項３】
移送手段は、移送樋と搬送手段とを具備しており、上記移送樋は貯留タンクの上方にかつ研磨機側に向けて下がり勾配に配置されており、上記搬送手段は前後各貯留タンク部にそれぞれ対応して設けられており、上記後貯留タンク部に対応している搬送手段は上記後貯留タンク部内の遊技媒体を上記移送樋へ移送可能であり、上記前貯留タンク部に対応している搬送手段は上記前貯留タンク部内の遊技媒体を上記研磨機側へ案内可能であり、上記移送樋は内部を移動する遊技媒体を上記前貯留タンク部に供給可能である
ことを特徴とする請求項１又は請求項２記載の遊技媒体の貯留装置。
【請求項４】
搬送手段は遊技媒体を搬送するための搬送ベルトを有する移送リフトからなり、各移送リフトは前後各貯留タンク部とその出口から通路を介して連なっており、上記後貯留タンク部に連なる移送リフトは移送樋を通じて前貯留タンク部へ後貯留タンク部内の遊技媒体を移送可能であり、上記前貯留タンク部に連なる移送リフトは研磨機へ前貯留タンク部内の遊技媒体を案内可能であることを特徴とする請求項３記載の遊技媒体の貯留装置。
【発明の詳細な説明】
【０００１】
【発明の属する技術分野】
この発明は遊技媒体の貯留装置に関する。
【０００２】
【従来の技術】
従来の遊技島を構成している遊技機列の下部には遊技島内を循環するパチンコ玉を一時的に貯めておく貯留タンクを設けてある。この貯留タンク内に貯留されたパチンコ玉は、下記に説明するように補給の必要が生じた場合に貯留タンクの出口が開いて遊技島に起立されている研磨機へ導かれ、この研磨機で研磨されながら揚送される。研磨されたパチンコ玉は補給樋を通じて各遊技機へ補給されるが、補給不要の場合には研磨機の上部に設けている上部タンクに貯められる。そして例えば遊技機が賞球を要求した場合、上記上部タンクから補給樋を通って遊技機に分配される。この上部タンクは小型であるから、内部のパチンコ玉が少なくなった場合に、貯留タンクから研磨機を介して補給樋にパチンコ玉を流す。また、隣りの遊技島でパチンコ玉が減少した場合にも貯留タンクからパチンコ玉を供給する役目がある。
ところで、一般的に貯留タンクはパチンコ玉を数十万個貯留できる。周知のように、貯留タンクの後部に山積みのようにして貯まっているパチンコ玉は、上層部分から流れ、下層部分に位置しているものは最後に流れ出す。
【０００３】
【発明が解決しようとする課題】
理想的には、貯留タンク内の総てのパチンコ玉が上層部分から下層部分まで順次流れ出して研磨機へ導かれ、そこで磨かれながら揚送されて遊技機に分配されて各遊技機で使用された後に、再び貯留タンクに戻るという循環過程を辿れば、貯留タンク内のパチンコ玉が常に循環しているから、パチンコ玉は常に綺麗な状態にある。
しかしながら、実際には貯留タンク内の底部にあるパチンコ玉は動かず常に残ってしまい、すなわち、上層部のパチンコ玉だけが循環することになる。このために、パチンコ玉は湿気などにより錆びてしまう。また埃などがあればパチンコ玉に付着したままである。またパチンコ玉の賞球量が急増した場合、研磨機を１回通るだけで、十分研磨できない不都合がある。
したがって、貯留タンク内のパチンコ玉は常に綺麗な状態で貯留しておく必要があり、言い換えると常にパチンコ玉を循環しなければならない。
この発明の目的は、遊技媒体を常に綺麗な状態に貯留しておくことを可能にすることにある。
【０００４】
【課題を解決するための手段】
この発明の遊技媒体の貯留装置は、遊技機で使用されてから研磨機で研磨された遊技媒体を一時的に貯める貯留装置であり、貯留タンクと移送手段と分配路とを具備しているものであり、上記貯留タンクは少なくとも２つの貯留タンク部を備え、一方の貯留タンク部は上記研磨機側に配置されている前貯留タンク部と、他方の貯留タンク部はその反対側に配置されており、常にいずれか一方の貯留タンク部が上記遊技媒体で満たされた貯留状態にある時、他方の貯留タンク部は空の状態にあり、上記移送手段は上記後貯留タンク部から前貯留タンク部へ遊技媒体を移送し、上記前貯留タンク部から上記研磨機へ遊技媒体を導くものであり、上記分配路は上記研磨機で研磨された遊技媒体を上記前貯留タンク部及び後貯留タンク部へそれぞれ分配するものである。
上記貯留タンクに関して、第１乃至第４貯留タンク部から構成されるものにあっては、第１及び第２貯留タンク部は前貯留タンク部であり、第３及び第４貯留タンク部は後貯留タンク部であり、上記第１貯留タンク部と第２貯留タンク部との双方、上記第３貯留タンク部と第４貯留タンク部との双方は、移送手段による遊技媒体の移送方向と交差する方向に対向し隣接して配置され、上記第１乃至第４貯留タンク部のうち、３つの貯留タンク部が上記遊技媒体で満たされた貯留状態にある時、残りの貯留タンク部は空の状態にある。上記貯留タンクが第１乃至第４貯留タンク部から構成されるものにあっては、構成を簡単にするために例えば貯留タンクの内部を仕切壁によって十字状に仕切って４分割する。
上記移送手段として、移送樋と搬送手段例えば搬送ベルトを有する移送リフトとを備えるものとし、上記移送リフトは前後各貯留タンク部に対応してそれぞれ設け、各移送リフトは前後各貯留タンク部とその出口から通路を介して連なり、上記後貯留タンク部に連なる移送リフトは上記移送樋を通じて上記前貯留タンク部へ後貯留タンク部内の遊技媒体を移送可能であり、上記前貯留タンク部に連なる移送リフトは研磨機へ前貯留タンク部内の遊技媒体を案内可能とする。
【０００５】
【作用】
貯留タンクでは、常にいずれか一方の貯留タンク部が上記遊技媒体で満たされた貯留状態にある時、他方の貯留タンク部は空の状態にあるから、遊技媒体が貯留タンク部内に留まることなく循環されることになる。
【０００６】
【発明の実施の形態】
図１及び図２に示す遊技媒体であるパチンコ玉の貯留装置１は貯留タンク２、パチンコ玉の移送手段３及び分配路４を具備しているものである。
貯留タンク２は、図１、図３及び図４に示すように複数の遊技機５からなる
遊技機列の腰下に配置されている。
なお、遊技機列の腰下にはそれぞれの遊技機５からのアウト玉やパチンコ玉の計数機６から排出されたパチンコ玉を研磨機７へ移動させるための回収樋８が下がり勾配に配設されている。起立されている研磨機７は、汚れたアウト玉等のパチンコ玉を研磨手段により研磨しながら揚送して研磨機の上部に設けてある上部タンク９へ送るものである。上部タンク９内のパチンコ玉は補給樋１０に供給される。
貯留タンク２は、図２に示す例によれば、その内部が仕切壁１１，１２によって十字状に仕切られている。４分割されている貯留タンク２の内部は、前貯留タンク部である第１及び第２貯留タンク部１３，１４と後貯留タンク部である第３及び第４貯留タンク部１５，１６とからなっている。第１及び第２貯留タンク部１３，１４は貯留タンク２の中央より研磨機７側（図１左側）に配置されており、第３及び第４貯留タンク部１５，１６はその反対側に配置されている。図１に示すように、第１及び第２貯留タンク部１３，１４の内底面２ａは仕切壁１１から研磨機７側に向けて下がり勾配となっている傾斜面であり（図３）、第３及び第４貯留タンク部１５，１６の内底面２ｂは仕切壁１１から研磨機７側と反対側に向けて下がり勾配の傾斜面である（図４）。第１貯留タンク部１３及び第４貯留タンク部１６はいずれも図２上側に位置し、互いに隣接され、また第２貯留タンク部１４及び第３貯留タンク部１５は双方とも同図下側に位置し、互いに隣接されている。貯留タンク２は、常に第１乃至第４貯留タンク部１３〜１６のうち３つの貯留タンク部がパチンコ玉で満たされた貯留状態にある時、残り１つの貯留タンク部は空の状態にある。
第１及び第２貯留タンク部１３，１４は研磨機７側の端部下部に近接して出口１７，１８（図４）を設けてある。各出口１７，１８は図５及び図６に示すように開閉体２１により開閉され、この開閉体は図示の例によれば、柱状のものが使用されている。開閉体２１には各出口１７，１８に連通する通孔２２，２３を開けてある。一方の出口１７に対応する通孔２２は図５紙面に垂直方向に開閉体２１を貫通して形成されているものである。他方の出口１８に対応する通孔２３は、通孔２２を９０度回転させたもので、図６紙面に垂直方向に開閉体２１を貫通して形成されているものである。各通孔２２，２３は、第１及び第２貯留タンク部１３，１４の出口１７，１８から流れ出るパチンコ玉が通過可能である。開閉体２１は駆動手段である例えばモータ２４の駆動軸に接続されているシャフト２５を中心として回転可能である。シャフト２５は、軸受け２６によって支持されている。モータ２４はリレー２７、センサ２８及び電源２９に電気的に接続されている。モータ２４の電源２９がオフになると、開閉体２１はシャフト２５を中心として回転して通孔２２と出口１７とが対向し（図５）、回転が停止される。この結果、第１貯留タンク部１３内の貯留パチンコ玉Ｐが一方の出口１７及び通孔２２を通じて流出される。逆に、開閉体２１の電源２９がオンになると、開閉体２１が図５の位置から９０度回転するから、一方の出口１７は閉じられ、他方の通孔２３が他方の出口１８と対向してこの出口が開き（図６）、第２貯留タンク部１４内の貯留パチンコ玉が流れ出る。このように、モータ２４、リレー２７及びセンサ２８は、開閉体２１の制御手段を構成している。
図３及び図４に示すように、第３及び第４貯留タンク部１５，１６の端部にも出口１９，２０がそれぞれ設けられている。各出口１９，２０は前記開閉体２１及びモータ２４と同一構成である出口の開閉制御手段である開閉体及びモータ（いずれも図示せず。）によって開閉可能である。一方の出口１９は通孔（図示せず。）と対向して開口状態にあるとき、他方の出口２０は閉じられており、出口１９，２０と開閉体との関係は、出口１７，１８と開閉体２１との関係と同様である。
図１に示す移送手段３は、搬送手段である移送リフトすなわち第１乃至第４移送リフト３０〜３３と、移送樋３４とからなる。第１乃至第４移送リフト３０〜３３のそれぞれは、図２に示すように第１乃至第４貯留タンク部１３〜１６に対応して設けられている。図２の例では第１及び第２移送リフト３０，３１は貯留タンク２の左端部に、また第３及び第４移送リフト３２，３３は右端部にそれぞれ並んで配置されている。
第１移送リフト３０は、図７に示すように回転車３５間に搬送ベルト３６が渡されており、搬送ベルトに間隔を置いて搬送棚３７を連続して設けているものである。第１移送リフト３０は第１貯留タンク部１３の出口１７と通路３８を通じて連らなっている。このため、出口１７から通路３８に流れ出たパチンコ玉Ｐはこの通路から第１移送リフト３０の下部から内部へ取り込まれる。第１移送リフト３０内に取り込まれたパチンコ玉Ｐは搬送棚３７上に乗せられたまま図７上方へ運ばれて、回収樋８へ移送され、研磨機７へ導かれる。
第２移送リフト３１の構成及び動作は第１移送リフト３０のそれらと同一である。第２移送リフト３１は第２貯留タンク部１４の出口１８と通路３９を介して連らなっている（図２）。
このように、第１移送リフト３０及び第２移送リフト３１は、いずれも第１及び第２貯留タンク部１３，１４から流出したパチンコ玉Ｐを研磨機７へ導く役割をもっている。
第３移送リフト３２の構成及び動作は、図８に示すように第１移送リフト３０の構成及び動作と実質的に同一であるので、詳細な説明は省略する。４２は回転車、４３は搬送ベルト、４４は搬送棚である。構成に関しては、第３移送リフト３２は第１移送リフト３０より背が高くなっている。
第４移送リフト３３の構成及び動作は第３移送リフト３２のそれらと同一である。
図２及び図８に示すように、第３及び第４移送リフト３２，３３はそれぞれ第３及び第４貯留タンク部１５，１６の各出口１９，２０に通路４０，４１を介して通じている。
移送樋３４は貯留タンク２内上部に図１右端を上にして下がり勾配に配置されている。移送樋３４の一端部（図１右端部）は第３及び第４移送リフト３２，３３の側部に対向位置し（図８）、他端部は第１及び第２貯留タンク部１３，１４の端部（図１左端部）まで延びている。移送樋３４は貯留タンク２の中央にその長さ方向に配置されていると共に、各貯留タンク部１３〜１６に亘っており（図２）、一端部から仕切壁１１の位置までに側板４５（図９）が立上がっている。このため移送樋３４上を流れるパチンコ玉Ｐは、側板４５がない平板部から幅方向に振り分けられて、第１貯留タンク部１３または第２貯留タンク部１４へ落下され、供給される。
移送樋３４と各移送リフト３０〜３３との関係を説明する。
第３及び第４移送リフト３２，３３は、第３及び第４貯留タンク部１５，１６から時間を異にしてそれぞれ流れ出したパチンコ玉Ｐを下部から取り入れて上方へ搬送して移送樋３４に移送する。移送されたパチンコ玉Ｐは、下流で第１貯留タンク部１３または第２貯留タンク部１４へ振り分けられる。
分配路４は、図１に示すように分配樋４６とこの分配樋から分岐された４本の第１乃至第４分配ホース４７〜５０とから構成されている。分配樋４６は一端（図１左端）で上部タンク９に連通されている。研磨機７で研磨されたパチンコ玉Ｐは補給樋１０に移動するが、補給樋が一杯になると、上部タンク９で貯留され、上部タンクが満たされると、分配樋４６に補給される。第１乃至第４分配ホース４７〜５０はそれぞれ第１乃至第４貯留タンク部１３〜１６に通じている。
分配樋４６に補給された研磨済みのパチンコ玉Ｐは第１乃至第４分配ホース４７〜５０のいずれかを通過して、第１乃至第４分配ホースに対応する各貯留タンク部１３〜１６へ分配される。各分配ホース４７〜５０には内部を通過するパチンコ玉の流れを止めたり、解除するための開閉手段である制御弁５１（図１０）を設けてある。
図１０では制御弁５１に球体を用いている。分配ホース４７〜５０の途中に膨出部５３を形成し、この膨出部内に回転自在の制御弁５１を取付けている。制御弁５１は軸心にパチンコ玉Ｐが通過可能の穴５２を貫通してある。制御弁５１は、モータ５４の駆動軸に接続したシャフト５５に取付けられている。モータ５４は制御部５６及びセンサ５７に電気的に接続されている。センサ５７はパチンコ玉Ｐを止めたり、流したりする必要がある場合の情報を得るためのものである。図１０の状態では、分配ホース４７〜５０内のパチンコ玉Ｐは貯留タンク部１３〜１６に向けて通過し、センサ５７が止める情報を得たときは、シャフト５５を中心として制御弁５１を図１０の位置から９０度に回転させて、流れを止める。
作用について説明する。
まず、例えば第１，第２及び第３貯留タンク部１３，１４，１５内にパチンコ玉Ｐを貯留し、残りの第４貯留タンク部１６内はパチンコ玉のない空の状態にする。
次に、この状態になると、例えば第１貯留タンク部１３のパチンコ玉Ｐが開閉体２１によって開放された出口１７を経て第１移送リフト３０によって揚送されて回収樋８に移送され（図７参照）、やがて研磨機７を通って研磨され揚送されたパチンコ玉Ｐは分配樋４６の第４分配ホース５０から第４貯留タンク部１６に入る。パチンコ玉Ｐの流出は第１貯留タンク部１３内が空になるまで継続される。
センサが第１貯留タンク部１３の空の状態を検知すると、電源がオンとなって開閉体が作動して第３貯留タンク部１５の出口１９が開いて内部のパチンコ玉Ｐを第３移送リフト３２を使って揚送し、移送樋３４へ流す（図８参照）。この移送樋のパチンコ玉Ｐは第１及び第２貯留タンク部１３，１４側に移動し、第２貯留タンク部１４内にはパチンコ玉Ｐが貯留されているので、移送樋３４から第１貯留タンク部１３内に入り、次第に貯留されやがて満杯状態となる。このとき、第３貯留タンク部１５内は空になる。センサが第３貯留タンク部１５が空の状態を検知すると、電源がオンとなり開閉体２１が作動して第２貯留タンク部１４の出口１８が開いて、この出口から流出したパチンコ玉Ｐを第２移送リフト３１へ送り、この第２移送リフトで揚送し、回収樋８を経て研磨機７を介して分配樋４６及び第３分配ホース４９から第３貯留タンク部１５へ供給し、満杯になるまで供給を継続する。第３貯留タンク部１５が一杯になると、第２貯留タンク部１４は空になるから、第４貯留タンク部１６の出口２０が開いてパチンコ玉Ｐを第４移送リフト３３及び移送樋３４を使って第２貯留タンク部１４に入れて、満杯にする。すると、第４貯留タンク部１６内は空になる。
以下同様の動作が繰り返され、常にパチンコ玉Ｐを前貯留タンク部１３，１４と後貯留タンク部１５，１６を交互に入れ替え、上例では必ず貯留タンク部１３，１４，１５または１６のいずれか１つの貯留タンク部を空の状態にしながらパチンコ玉を循環させる。こうすれば常に錆のないきれいなパチンコ玉を貯留させておくことが可能となる。
図１１及び図１２はこの発明における他の実施の形態を示している。
図示する貯留装置１ａの構成及び作用は、前記貯留装置１の構成及び作用と実質的に同一であるので、相違する構成についてのみ説明する。
なお、説明上、貯留装置１ａの符号に関して貯留装置１の構成を示す符号と一致するものは、貯留装置１に共通することを示している。
貯留装置１ａにおける貯留タンク２Ａは、前貯留タンク部（第１及び第２貯留タンク部１３ａ，１４ａ）と後貯留タンク部（第３及び第４貯留タンク部１５ａ，１６ａ）との間が離れて隣接して配置されている。第１及び第２貯留タンク部１３ａ，１４ａ、第３及び第４貯留タンク部１５ａ，１６ａの各内底面２ａ１，２ｂ１はいずれも研磨機７に向けた下がり勾配となっている。１２ａは仕切壁である。第３及び第４移送リフト３２，３３が第３及び第４貯留タンク部１５ａ，１６ａの図１２左端部に配置されている。第３及び第４移送リフト３２，３３の位置が変更されていることに伴って、各移送リフト３２，３３と第３及び第４貯留タンク部の各出口とを連絡する通路４０ａ，４１ａが前貯留タンク部と後貯留タンク部との間に設けられている。また、移送樋３４ａの長さは第１及び第２移送リフト３０，３１と第３及び第４移送リフト３２，３３との距離が短縮された分だけ短くなっている。第３または第４貯留タンク部１５ａ，１６ａから流出したパチンコ玉は第３移送リフト３２または第４移送リフト３３に通路４０ａまたは通路４１ａを介して運ばれて、移送樋３４ａに移されて第１貯留タンク部１３ａまたは第２貯留タンク部１４ａに振り分けられる。移送樋３４ａの後端部（図１２）における幅方向の両端には側板４５に相当する側板（図示せず。）が設けられている。側板によって、移送樋３４ａを移動するパチンコ玉は確実に第１または第２貯留タンク部１３ａ，１４ａに振り分けられる。
図１３にさらにこの発明における他の実施の形態を示す。
図示する貯留装置１ｂの構成及び作用は、前記貯留装置１のそれらと実質的に同一である。貯留装置１ｂは貯留装置１と共通する構成に関しては、相互に符号を一致させている。
この形態の特徴は、図示するように、第１及び第２貯留タンク部１３，１４と第３及び第４貯留タンク部１５，１６との双方にそれぞれ１基の第１、第４移送リフト３０ｂ，３３ｂを配置していること、第１及び第２貯留タンク部１３，１４の各出口にそれぞれの出口を開閉する開閉体である第１、第２電磁弁２１ｂ，２１ｂ１を設け、各出口を１つの通路３８ｂで第１移送リフト３０ｂに連絡し、また第３及び第４貯留タンク部１５，１６の各出口にそれぞれの出口を開閉する開閉体である第３、第４電磁弁２１ｂ２，２１ｂ３を設け、各出口を１つの通路４１ｂで第４移送リフト３３ｂに連絡している点にある。
この実施の形態では、互いに選択的に開放される第１貯留タンク部１３の出口及び第２貯留タンク部１４の出口から流れ出たパチンコ玉は共通の通路３８ｂから第１移送リフト３０ｂに揚送される。また互いに選択的に開放される第３貯留タンク部１５の出口及び第４貯留タンク部１６の出口から流れ出たパチンコ玉は共通の通路４１ｂから第４移送リフト３３ｂに揚送される。第１移送リフト３０ｂは前記第１移送リフト３０に相当し、第４移送リフト３３ｂは前記第４移送リフト３３に相当している。
図２、図１２及び図１３では、貯留タンク２，２Ａはいずれも４分割され、前貯留タンク部の数が２、後貯留タンク部の数が２としたが、いずれも１であってもよく、その数は問わない。各貯留タンク部の出口の開閉手段は柱状の開閉体や電磁弁に限られず、例えばソレノイドによって上下動する開閉板などによって構成してもよい。
【０００７】
【発明の効果】
この発明によれば、貯留タンク部内の貯留した遊技媒体が常に循環できるので、湿度で錆びることを防止でき、綺麗な状態で遊技媒体を補給できる。
【図面の簡単な説明】
【図１】この発明に係る貯留装置の使用状態を示す一部切欠正面図である。
【図２】貯留タンクを平面から見た構成図である。
【図３】図２ＩＩＩ−ＩＩＩ線拡大断面図である。
【図４】図２ＩＶ−ＩＶ線拡大断面図である。
【図５】開閉体により第１貯留タンク部の出口を開けた状態を示す拡大側面図である。
【図６】開閉体により第２貯留タンク部の出口を開けた状態を示す拡大側面図である。
【図７】第１移送リフト、通路及び回収樋の関係を示す図である。
【図８】第３移送リフト、通路、移送樋及び回収樋の関係を示す図である。
【図９】回収樋と移送樋との位置関係を示す展開図である。
【図１０】制御弁の構成を示す拡大断面図である。
【図１１】この発明に係る貯留装置の他の実施の形態における使用状態を示す一部切欠正面図である。
【図１２】図１１に示す貯留装置における貯留タンクを平面から見た構成図である。
【図１３】この発明に係る貯留装置におけるさらに他の実施の形態を示す図であって、この貯留タンクを平面から見た構成図である。
【符号の説明】
１，１ａ，１ｂ                          貯留装置
２，２Ａ                                貯留タンク
２ａ，２ａ１，２ｂ，２ｂ１              貯留タンクの内底面
３                                      移送手段
４                                      分配路
５                                      遊技機
７                                      研磨機
８                                      回収樋
１０                                    補給樋
１１，１２                              仕切壁
１３，１３ａ                            第１貯留タンク部
１４，１４ａ                            第２貯留タンク部
１５，１５ａ                            第３貯留タンク部
１６，１６ａ                            第４貯留タンク部
１７，１８，１９，２０                  出口
２１                                    開閉体
２１ｂ，２１ｂ１，２１ｂ２，２１ｂ３    電磁弁（開閉体）
２２，２３                              通孔
２８                                    センサ
３０，３０ｂ                            第１移送リフト（移送リフト）
３１                                    第２移送リフト（移送リフト）
３２                                    第３移送リフト（移送リフト）
３３，３３ｂ                            第４移送リフト（移送リフト）
３４，３４ａ                            移送樋
３６，４３                              搬送ベルト
３８，３８ｂ，３９，４０，４０ａ        通路
４１，４１ａ，４１ｂ                    通路
４６                                    分配樋
４７                                    第１分配ホース
４８                                    第２分配ホース
４９                                    第３分配ホース
５０                                    第４分配ホース
５１                                    制御弁（開閉手段）
５４                                    モータ
５６                                    制御部
５７                                    センサ
Ｐ                                      パチンコ玉（遊技媒体）
【図１】
0003771109.tif 000002
【図２】
0003771109.tif 000003
【図３】
0003771109.tif 000004
【図４】
0003771109.tif 000005
【図５】
0003771109.tif 000006
【図６】
0003771109.tif 000007
【図７】
0003771109.tif 000008
【図８】
0003771109.tif 000009
【図９】
0003771109.tif 000010
【図１０】
0003771109.tif 000011
【図１１】
0003771109.tif 000012
【図１２】
0003771109.tif 000013
【図１３】
0003771109.tif 000014